(57)【要約】【解決手段】  電力コネクタは、補完的な電気コネクタと結合するように構成されて設けられる。  電力コネクタは、電気信号接点および電力接点の両方を支持するコネクタハウジングを有する。  電力コネクタは、１）電力コネクタが補完的な電気コネクタに関する所望の方向付けにあるときにのみ、補完的な電気コネクタの分極部材と結合するように構成された少なくとも１つの分極部材を有する係合組立体、および、２）補完的な電気コネクタの固定部材と係合するように構成された固定部材、を有する。【選択図面】２Ａ
2012516548.tif 000002
【特許請求の範囲】
【請求項１】
補完的な電気コネクタと結合するように構成された電力コネクタであって、その前述の電力コネクタは以下のものを有する：
接点支持空間を画定するように対向する側壁間に延びるコネクタハウジング；
接点支持空間において支持された複数の電気信号接点、および、接点支持空間において支持された複数の電力接点であって、その電気信号および電力の接点は、補完的な電気コネクタの補完的な信号および電力の接点と結合するように構成されたそれぞれの結合端部を画定し、さらに、電力接点は、それぞれの電気ケーブル導体に接続されるように構成された、それぞれの直線的に整列されたマウンティング端部を画定するもの；
および、１）側壁の少なくとも１つによって備えられる、電力コネクタが補完的な電気コネクタに関する希望のオリエンテーション中である場合に限りに補完的な電気コネクタの分極部材を受け取るように構成された、少なくとも１つの非対称的に位置した分極ポケットを有し、さらに、２）側壁の少なくとも１つによって備えられたラッチであって、このラッチは、補完的な電気コネクタの固定部材と解放可能に係合するように構成されたものを有する係合組立体。
【請求項２】
分極ポケットは、垂直方向に非対称的に位置される請求項１記載の電力コネクタ。
【請求項３】
分極ポケットは、対向する内側および外側端部を画定し、さらに、分極ポケットは、その内側端部で接点支持空間に開口している請求項１記載の電力コネクタ。
【請求項４】
分極ポケットは、その外側端部で閉まっている請求項３記載の電力コネクタ。
【請求項５】
分極ポケットは、その外側端部で開いている請求項３記載の電力コネクタ。
【請求項６】
ラッチは、そのラッチの係合指が分極ポケット内に突出するように位置される請求項５記載の電力コネクタ。
【請求項７】
分極ポケットは、下部分極ポケットであり、さらに、係合組立体は、第１分極ポケット上に配置された上部分極ポケットを有する請求項１記載の電力コネクタ。
【請求項８】
ラッチは、上部分極ポケット内に突出する請求項７記載の電力コネクタ。
【請求項９】
下部分極ポケットは、上部分極ポケットとは異なる形状である請求項７記載の電力コネクタ。
【請求項１０】
下部分極ポケットは、上部分極ポケットの高さより大きい高さを有する請求項９記載の電力コネクタ。
【請求項１１】
上部および下部分極ポケットは、下部分極ポケットの上部壁および上部分極ポケットの上部壁の両方を画定するディバイダ壁によって分離される請求項１０記載の電力コネクタ。
【請求項１２】
電気接点は、補完的な電気コネクタのレセプタクル接点に受けられるように構成されたヘッダ接点を有する請求項１記載の電気コネクタ。
【請求項１３】
係合組立体は、両方の側壁によって備えられる請求項１記載の電気コネクタ。
【請求項１４】
補完的な電気コネクタと結合するように構成された電力コネクタであって、
この前述の電力コネクタは、以下のものを有する：
頂壁であって、この頂壁は、頂壁および対向側面壁によって少なくとも部分的に画定される接点支持空間を画定するように、対向側面壁の間に延び、対向側面壁のうちの１つが、コネクタハウジングの頂壁から間隔をもって配置されたラッチ係合部材を画定し、対向側面壁の他のものが、補完的な分極部材内に受けられ、かつラッチ係合部材よりも頂壁からさらに間隔をおくように構成された分極部材を画定するものを有するコネクタハウジングと；
接点支持空間内に支持された複数の電気信号接点、および、接点支持空間内に支持された複数の電力接点であって、これらの電気信号および電力接点は、補完的な電気コネクタの補完的な信号および電力接点と結合するように構成されたそれぞれの結合端部を画定し、さらに、それぞれの電気ケーブル導体に接続されるように構成された、それぞれの直線的に整列されたマウンティング端部を画定するもの。
【請求項１５】
補完的な電気コネクタと結合するように構成された電力コネクタであって、
この前述の電力コネクタは、以下のものを有する：
接点支持空間を画定するように対向側面壁間のコネクタハウジング軸に沿って延びるコネクタハウジングであって、このコネクタハウジングは、コネクタハウジングの結合するインターフェースで少なくとも１つの分極ポケットを画定するものであって；
電気信号接点および電力接点は、補完的な信号、および補完的な電気コネクタの電力接点と結合するように構成されたそれぞれの結合端部であり、電気信号接点および電力接点は、複数の電気信号接点の直線的に整列されたマウンティング端部に接続された電気ケーブル導体が、コネクタハウジング軸に直角方向に方向づけられる第１の共通軸に沿って整列されるように、複数のそれぞれの電気ケーブル導体の１つと接続するように構成されたそれぞれの直線的に整列されたマウンティング端部を画定し、さらに、電力接点の直線的に整列されたマウンティング端部に接続された電気ケーブル導体は、コネクタハウジング軸と平行で、かつ第１の共通軸に直角である第２の共通軸に沿って整列されるもの。
【発明の詳細な説明】
【技術分野】
【０００１】
この開示は、一般に、電気コネクタに係り、より特別には、例えば、プリント配線回路用基板に電力を送電するための電気コネクタに関する。
【背景技術】
【０００２】
電力コネクタは周知であり、さらに、電力接点を備え、かつ、電気信号および／または接地接点を備えることができるハウジングを有する。電気接点は、それぞれ、電気コネクタの結合インターフェースおよびマウンティングインターフェースを画定する対向する結合端部およびマウンティング端部を画定する。電気接点の結合端部は、補完的な（complementary）電気コネクタの電気接点の対応する結合端部と接続するように構成される。電力コネクタの場合には、補完的な電力接点のマウンティング端部が、プリント配線回路用基板または他の電気装置のような、電力を受電する装置に接続されている間に、電力接点のマウンティング端部は、電力ケーブルのような電源に接続される。コネクタは、それぞれの結合インターフェースで相互に結合するように構成されるヘッダコネクタおよびレセプタクルコネクタとして提供することができる。
【０００３】
図１を参照して、従来の電力コネクタ２０は、接続されたときに、複数の電力ケーブル２６を受けるマウンティングインターフェース２４を画定する第１部分２２ａおよび第２部分２２ｂを有する２枚貝の貝殻の形をしているハウジング２２と、プリント配線回路用基板のような電気部品に対して電力を供給するために補完的な電気コネクタと結合するように構成された結合インターフェース２８と、を有する。コネクタ２０は、さらに、例証されるような、電気信号ケーブル３０と接続するように構成される信号ピン２９を有する。補完的なコネクタの結合インターフェースのサイズ制約によって、電力ケーブル２６が垂直方向に千鳥配置され、それによって、電力コネクタ２０の高さを増加させるように、電力コネクタ２０は配置される。このように２枚貝の貝殻２２は、結合インターフェース２４が電力ケーブル２６を収容するのに充分な高さを有しているが、結合インターフェース２８は、補完的コネクタと結合するのにハウジング２２にとって充分な高さを有するように構成される。もちろん、図１が１つのタイプの電気コネクタを例証し、多数の他の電力コネクタがこの技術において知られているということは、認識されるべきである。
【０００４】
望まれるものは、従来の電力コネクタに関して単純化される電力コネクタである。
【発明の概要】
【０００５】
１つの実施例に従って、電力コネクタは、補完的な電気コネクタと結合するように構成されるように提供される。電力コネクタは、接点支持空間を画定するように対向する側壁間に延びるコネクタハウジングを有する。電力コネクタは、さらに、接点支持空間内に支持された複数の電気信号接点、および接点支持空間内に支持された複数の電力接点を有する。電気信号および電力接点は、補完的な電気コネクタの補完的な信号および電力接点と結合するように構成されたそれぞれの結合端部を画定し、さらに、電力接点は、それぞれの電気ケーブル導体に連結されるように構成された、それぞれの直線的に整列されたマウンティング端部を画定する。電力コネクタは、さらに、ハウジングによって備えられた係合組立体を有する。係合組立体は、１）電力コネクタが補完的な電気コネクタに関する所望の方向づけにあるときに限って、側壁の少なくとも１つによって備えられ、かつ、補完的な電気コネクタの分極部材を受けるように構成された、少なくとも１つの非対称的に位置した分極ポケット、および、２）側壁の少なくとも１つによって備えられ、補完的な電気コネクタの固定部材を解放可能に係合するように構成されたラッチ、を有する。
【０００６】
付属の線図とともに読まれたときに、実施例の以下の詳述と同様に、先行の概要も、一層よく理解される。この発明を例証する目的のために、図面は、現在好ましい実施例を示す。しかしながら、この発明は、図面に開示された特定の手段に限定されない。
【図面の簡単な説明】
【０００７】
【図１】先行技術に従って構築された電力コネクタの平面図である；
【図２Ａ】電力ヘッダコネクタと、複数の電力ケーブルおよび電気信号ケーブルに電気的に接続されたヘッダコネクタを示す、１つの実施例に従って構築された、概略的に例証された補完的な電力レセプタクルコネクタとを有する電力コネクタ組立体の斜視図である；
【図２Ｂ】図２Ａにおいて例証された電力ヘッダコネクタの係合組立体の拡大した正面図である；
【図２Ｃ】図２Ｂにおいて例証された係合組立体のラッチの平面図である；
【図３Ａ】電力ケーブルに接続された図２において例証された電気コネクタの電力接点の斜視図である；
【図３Ｂ】電力ケーブルに接続された図３Ａにおいて例証された電力接点を示す斜視図である；
【図３Ｃ】対応する電気信号ケーブルに接続された信号接点を示す、垂直柱内に配置された図２において例証されたヘッダコネクタの複数の電気信号接点の斜視図である；
【図３Ｄ】対応する電気信号ケーブルに対する信号接点の接続を示す、図３Ｃにおいて例証された電気信号接点の１つの斜視図である；
【図３Ｅ】図３Ｃにおいて例証されたタイプの信号接点の複数の隣接する垂直柱の斜視図である；
【図３Ｆ】図２において例証されたそれに近似しているが、代りの実施例に従って構築された結合機構を備えたコネクタハウジングの斜視図である；
【図４Ａ】図２において例証された電力コネクタの斜視図である；
【図４Ｂ】代りの実施例に従って構築された電力コネクタの斜視図である；
【図４Ｃ】他の代りの実施例に従って構築された電力コネクタの斜視図である；
【図４Ｄ】パネル上にマウントされた電力コネクタを示す、図３Ｆにおいて例証されたコネクタハウジングを有する電力コネクタの斜視図である；
【図５Ａ】結合インターフェースを示す、図４Ａにおいて例証された電力コネクタの正面図である；
【図５Ｂ】結合インターフェースを示す、図４Ｂにおいて例証された電力コネクタの正面図である；
【図５Ｃ】結合インターフェースを示す、図４Ｃにおいて例証された電力コネクタの正面図である；
【図５Ｄ】結合インターフェースを示す、図４Ｄにおいて例証された電力コネクタの正面図である；
【図６】図４Ｂにおいて例証された電力コネクタの拡大した斜視図である；
【図７】図４Ｃにおいて例証された電力コネクタの拡大した斜視図である；
【図８Ａ】図４Ｄにおいて例証された電力コネクタの平面図である；
【図８Ｂ】図８Ａにおいて例証された電力コネクタの側面図である；
【図８Ｃ】図８Ａにおいて例証された電力コネクタの正面図である；
【図８Ｄ】図８Ａにおいて例証された電力コネクタの前部斜視図である；
【図８Ｅ】図８Ａにおいて例証された電力コネクタの後部斜視図である。
【発明を実施するための形態】
【０００８】
図２Ａを参照して、１つの実施例に従って構築された電気コネクタ組立体３０は、直角の電力レセプタクルコネクタ３４の形で第２電気コネクタと結合するように構成された電力ヘッダコネクタ３２の形で第１電力コネクタを有する。ヘッダコネクタ３２は、誘電性のコネクタハウジング３６を有する。コネクタハウジング３６は、さらに、このコネクタハウジング３６の結合インターフェース４３で少なくとも１つの分極ポケット８０を画定する。コネクタハウジング３６は、さらに、頂壁３８および対向した底壁４０、前方端部４２および対向し後方端部４４、および、対向した第１および第２側壁４６を画定する。コネクタハウジング３６は、側壁４６および頂壁３８によって少なくとも部分的に画定され、さらに側壁４６間に配置される接点支持空間７０を画定するように、対向した側壁４６間に延びるコネクタハウジング軸芯ＣＨＡに沿って延びる。前方端部４２は、電気コネクタハウジング３２の結合インターフェース４３を画定し、さらに、後方端部４４は、電気コネクタ３２のマウンティングインターフェース４５を画定する。結合インターフェース４３およびマウンティングインターフェース４５が、相互に平行であるので、電力ヘッダコネクタ３２は、垂直の電力コネクタとして構成される。
【０００９】
レセプタクルコネクタ３４は、頂壁４８および対向する底部端部５０、前方端部５２、および対向する後部壁５４を画定する誘電性のコネクタハウジング３７を有し、後部壁５４は、対向する側壁５６を備える接点受入空間７０（２つの別々に間隔をおく接点壁を有するレセプタクル接点を備えた以外は図４Ｃにおいて示されるヘッダコネクタに近似している）を画定する。前方端部５２は、電気コネクタ３４の結合インターフェース５３を画定し、さらに、ボトムエンド５０は、電気コネクタ３４のマウンティングインターフェース５１を画定する。この結合インターフェース５３およびマウンティングインターフェース５１が、相互に垂直であるので、電力レセプタクルコネクタ３４は、直角の電力コネクタとして構成される。一方または両方の側壁５６は、ラッチ耳部６４として、コネクタハウジング３７の頂壁４８から離間することができるように、ラッチ係合部材を画定することができる。対向した側面壁５６の他のものは、ラッチ係合部材またはラッチ耳部６４よりも頂壁４８からさらに間隔を置かれる突出部（切欠部または一体）のような分極部材を画定することができる。１つの実施例においては、分極部材は、補完的な分極部材を受けないが、むしろ、補完的な分極部材内に受けられるように構成される。同じコネクタ上のラッチ耳部および分極部材を方向づけることは、結合されたコネクタを安定させるのを支援し、ノンラッチ型コネクタをラッチのためにより剛性にするのを支援することができる。
【００１０】
ヘッダコネクタ３２の頂部および底部壁３８および４０は、長手方向Ｌおよび横方向Ａによって画定される平面内に延びる。ハウジング３６は、長手方向に沿って細長く、それはコネクタ３２の長さＬ１を画定し、さらに横方向Ａが、コネクタ３２の深さＤを画定する。コネクタ３２は、さらに、長手方向および横方向に垂直に延びる横断方向Ｔに沿って延びる高さＨを画定する。レセプタクルコネクタ３４の頂壁および底部側部４８および５０は、同様に、長手方向Ｌおよび横方向Ａによって画定される平面内に延びる。ハウジング３７は、長手方向に沿って細長い。
【００１１】
認識されるべきことは、様々な構造が、長手方向「Ｌ」および横方向「Ａ」に沿って水平に、および横断方向「Ｔ」に沿って垂直に延びるように、ここに記述されるということである。別段の定めがない限りここに、用語「横方向に」、「長手方向に」、「横断方向に」は、様々な部品の直角の指向性の部品について記述するために使用される。特定の方向性の部品に関して、用語「装置内の」、「内側の」、および「外方の」および「外側寄りの」が、方向性の部品に沿った方向を参照するように与えられた装置に関して、センター装置から、それに向かっておよび離れて、ここにそれぞれ使用される。用語「前方向」または「正面」は、コネクタの前方端部に対する方向について記述するが、用語「後方への」または、「後部の」は、コネクタの後方端部に対する方向について記述するために使用される。
【００１２】
認識されるべきことは、長手方向および横方向が、水平面に沿って延びるように例証され、さらに、横断方向が垂直面に沿って延びるように例証される間に、様々な方向を包含する平面は、例えば電気コネクタの所望の方向に依存して、使用の間に異なることができるということである。したがって、用語「垂直の」および「水平の」は、明瞭さの目的のために例証されるようなコネクタ組立体３０を記述するため、さらに電気コネクタおよび部品を関連させるために使用され、これらの方向性は、使用の間に変更することができることは、認識されるべきである。
【００１３】
レセプタクルコネクタハウジング３７は、ヘッダコネクタ３２のような補完的なヘッダコネクタのそれぞれの電気ヘッダ電力接点を受けるように構成された結合端部を有する複数の電気レセプタクル電力接点（図示せず）を支持し、さらに、補完的なヘッダコネクタのそれぞれの電気ヘッダ信号接点を受けるように構成された結合端部を有する複数の電気レセプタクル信号接点（図示せず）を支持することができる。レセプタクル電力および信号接点は、さらに、プリント配線回路用基板のような外部電気装置に取付くように構成されたマウンティング端部を画定する。このマウンティング端部は、結合端部に直角にコネクタ３４が、例証されるように直角のコネクタとして構成されるような、底部端部５０を介して延びることができる。代りに、マウンティング端部は、コネクタ３４が垂直コネクタとして構成されるように、もし望まれれば、後部壁５４を通って延びることができる。
【００１４】
コネクタ組立体３０は、電力接点が補完的な電力接点と結合し、さらに、信号接点が補完的な信号接点と結合するように、コネクタ３２および３４が、前もって定めた方向に確実に結合することを保証するように構成される係合システム５９を有する。この係合システム５９は、レセプタクルコネクタ３４の第１の対の係合組立体５５、およびこの第１係合組立体５５とインターフェースするように構成されるヘッダコネクタ３４の第２の対の係合組立体５７を有する。各係合組立体５５は、レセプタクルコネクタハウジング３７によって備えられ、特別には、対向する側壁５６の少なくとも１つによって、さらには、例証された実施例における対向する側壁５６のそれぞれによって備えられる。
【００１５】
同様に、電気ヘッダコネクタ３２の係合組立体５７は、それぞれ、ヘッダコネクタハウジング３６によって備えられ、さらに特別には、対向する側壁４６の少なくとも１つ、さらには、例証された実施例における対向する側壁４６のそれぞれによって備えられる。
【００１６】
したがって、係合組立体５５および５７が、側壁のうちの１つに関して下記に述べられている間に、係合組立体５５および５７が、例証されるような対向する側壁に配置することができることは、認識されるべきである。
【００１７】
レセプタクルコネクタ３４の係合組立体５５は、それぞれ、分極組立体６３および固定組立体６５を有し、さらに、ヘッダコネクタ３２の係合組立体５７は、補完的な分極（polarization）組立体６７および固定組立体６９を有する。分極組立体６３および６７は、コネクタ３２および３４がそれらの適切な相対的な方向付け（orientation）において相互に係合することを保証するように係合し、さらに、固定組立体６５および６９は、それらの結合した配位にコネクタ３２および３４を固定する。
【００１８】
分極組立体６３は、例証されるような各側壁５６の少なくとも一方から長手方向に突出する下部分極案内壁５８の形での第１分極部材７１と、下部分極案内壁５８の上の位置で、例証されるような各側壁５６の少なくとも一方から長手方向に突出する上部分極案内壁６０の形での第２分極部材７３とを有する。分極案内壁５８および６０は、例証されるように、垂直に整列されるが、代りの実施例においては垂直にオフセットすることができる。下部および上部の分極案内壁５８および６０は、両方とも、形において長方形で、水平に方向付けされる突出部として例証されるが、所望のようなあらゆる幾何学形態も仮定することができる。下部分極案内壁５８は、側壁５６の全体の深さを拡張するが、この下部分極案内壁５８は、代りに所望のようなあらゆる横方向長さも画定することができる。
【００１９】
上部分極案内壁６０は、この上部分極案内壁６０と下部分極案内壁５８との間に垂直に配置されたギャップ６２を画定するように下部分極案内壁５８上に配置される。分極案内壁５８および６０は、ギャップ６２が側壁５６の垂直方向の中間点に関して垂直にオフセットされるように、それぞれ垂直に非対称的に位置する。例証された実施例に従って、分極案内壁５８および６０は、下部分極案内壁５８が上部分極案内壁６０より大きい高さを有するように、異なる形状であるように形づくられる。分極組立体の非対称は、所望の方向付けの電気コネクタ３４に対応する分極組立体がある補完的な電気コネクタが結合することを保証する。分極組立体６３は、所望のようなあらゆる方向に関して、代りに非対称的に構築することができることは、認識されるべきである。上部分極案内壁６０は、側壁５６の全体深さを拡張するが、しかしながら、上部分極案内壁６０は、代りに所望のようなあらゆる横方向長さも画定することができる。上部分極案内壁６０は、この上部分極案内壁６０によってその下部端部で、および、上部分極案内壁６０と上部表面４８との間に延びる側壁５６の部分による片側面で、画定されたノッチ６１を画定するように、頂部表面４８の下に垂直に配置される。
【００２０】
図２Ａを継続的に参照して、固定組立体６５は、上部分極案内壁５８および６０の少なくとも一方から、および、例証されるような上部分極案内壁６０の両方から、長手方向に突出するラッチ耳部６４として例証された固定部材８９を有する。したがって、ラッチ耳部６４は、また、側壁５６から長手方向に突出する。ラッチ耳部６４が、例証されるような上部分極案内壁６０から突出している間に、ラッチは、ハウジング３７、または下部分極案内壁５８のようなそれぞれの側壁５６の任意の位置から代りに突出ことができることは認識されるべきである。各ラッチ耳部６４は、後方方向に沿って長手方向外方に延び、かつ上部分極案内壁６０とカム面６６の後方端部との間に長手方向に延びる後部キャッチ表面６８でのその後方端部で終端するカム面６６に表われる。カム面６６は、直線として例証されるが、以下により詳細に記述されるように、ラッチ耳部６４が補完的なヘッダコネクタ３２の対応するラッチと係合するように構成されるように、代りに、曲線を描き、または所望のような他の形状も画定する。
【００２１】
今度は図２Ａ−Ｂ、４Ａおよび５Ａを参照して、ヘッダコネクタ３２は、複数の電気ヘッダ電力接点７２、および、コネクタハウジング３６において支持される複数の電気ヘッダ信号接点７４を有する。特別には、ハウジング３６は、電気接点７２および７４を支持する内部接点支持空間７０を画定する。信号接点７４が、電力接点７２と側壁４６の一方との間に配置されているように例証されているが、認識されるべきことは、信号接点７４は、代りに、電力接点７２と他の側壁４６との間でのようにハウジング３６に沿ってあらゆる場所に配置することができ、または電力接点７２が、信号接点７４のあらゆる長手側にも配置されるように、中心に、ハウジング３２を配置することができることである。ハウジング３６は、このハウジング３６における電力接点７２の支持において支援する上部壁３８を通って垂直に延びる第１の複数支持開口７６と、ハウジング３６における信号接点７４の支持において支援する上部壁、下部壁３８および４０を通って延びる支持開口７８の第２の複数支援開口とを有する。代りの実施例に従って、コネクタ３６は、信号接点が欠けていて、単に電力接点７２だけを有する。
【００２２】
電力接点７２は、この電力接点７２が垂直の接点として構成されるように、結合端部７２aおよびこの結合端部７２ａに平行して延びる、対向するマウンティング端部７２ｂを画定する。認識されるべきことは、マウンティング端部７２ｂが、電力接点７２が直角接点として構成されるように、代りに、結合端部７２ａに関して直角の方向に延びることができることである。結合端部７２ａは、コネクタハウジング３６の結合インターフェース４３に隣接して配置され、一方、マウンティング端部７２ｂは、コネクタハウジング３６のマウンティングインターフェース４５に隣接して配置される。電力接点７２の結合端部７２ａは、レセプタクルコネクタ３４の補完的な電力接点と電気的に結合するように構成され、さらに電力接点７２のマウンティング端部７２ａは、電気ケーブル導体１０２として提供される電力導体と結合するように構成される。
【００２３】
今度はさらに図３Ａ−Ｂを特別に参照して、電力接点７２は、この電力接点７２が、レセプタクルコネクタ３４の補完的な電力レセプタクル接点に受けるように相互から長手方向に間隔をおかれた１対の垂直ブレード７５として配置されるように、それぞれ、誘電性の電力接点クリップ１１０にマウントされる。電力接点７２が、ヘッダ接点として構成されているように例証されているが、電力接点７２は、所望であれば、代りにレセプタクル接点として提供することができる。電力接点７２は、それぞれ、さらにケーブル１０２に電気的に接続されるマウンティング端部７２ｂで圧着（crimp）スリーブ１１２を有する。この圧着スリーブ１１２は、それぞれのケーブル導体１０２と電気通信に電力接点７２の結合する端部を配置するようにケーブル導体１０２の上に圧着されるフレキシブルアーム１１４を有する。したがって、電力接点７２の結合端部が、結合するコネクタ３４の電力接点の結合端部と係合するときに、電力は、ケーブル導体１０２から、電力接点７２およびレセプタクルコネクタ３４の補完的な電力接点を通じて、およびコネクタ３４がマウントされる電子装置に送電される。
【００２４】
コネクタ３２は、対応する電力接点クリップ１１０内に電力接点７２を支持するロック部材１１６を有し、さらに、ハウジング３６内に電力接点クリップ１１０を支持するようにハウジング３６の上部壁３８内に形成された支持開口７６内に延びることができる。しかしながら、認識されるべきことは、あらゆる適切な係合部材も、対応するクリップ１１０内に電力接点を固定し、さらに、コネクタハウジング３６内にクリップ１１０を固定するように備えることができるということである。なお代りに、電力接点７２は、電力接点クリップ１１０内にインサートモールドすることができる。電力接点７２が、１つの実施例に従って例証され記述されてきたが、電気コネクタ３２が、あらゆる適切な代りの実施例に従って構築された電力接点を有することができたことは、認識されるべきである。
【００２５】
コネクタ３２が、１０個の対応するケーブル導体１０２に電気的に接続するように構成される１０個の電力接点７２を有するように例証されるが、あらゆる数の電力接点７２およびケーブル１０２、例えば、８個と１４個との間、８個未満、および１４個を超えるものを提供することができることは、認識されるべきである。さらに、様々なゲージの電力ケーブル１０２を、所望のようなコネクタ３２に搭載することができる。
【００２６】
認識されるべきことは、マウンティング端部７２ｂが、すべて、コネクタハウジング３６の長さに沿って長手方向に直線的に整列されるように、電力接点７２のマウンティング端部７２ｂは、それぞれ、コネクタハウジング３６上に同一の高さで配置されることである。その結果、ハウジング３６内に延び、かつ補完的なマウンティング端部７２ｂに電気的に接続されたケーブル導体１０２は、それぞれ、コネクタハウジング３６の長さに沿って長手方向に整列され、それによって、垂直方向に千鳥配置されたケーブル導体１０２に接続するように構成された従来の電力ケーブルコネクタに関して、コネクタ３２の高さを減少する。
【００２７】
コネクタハウジング３６は、このように所望のようなあらゆる適切な高さＨをも画定することができ、そして、１つの実施例に従ってほぼ１５ｍｍの高さを有する。コネクタハウジング３６は、所望のようなあらゆる長さＬをも画定することができ、そして、１つの実施例に従ってほぼ１００ｍｍの長さを画定する。コネクタハウジング３６は、所望のようなあらゆる深さＤも画定することができ、そして、１つの実施例に従ってほぼ３０ｍｍの深さを有する。これらの寸法が、例としてのみ提供され、さらに、ここに記述された様々な実施例は、これらの寸法に別段の定めがない限り、限定されることを意図されていないことは認識されるべきである。ここに例証された寸法は、例証された実施例に関して記述されたタイプの電気コネクタは、千鳥配置の電力ケーブルを有する従来の電力ケーブルコネクタに関して縮小された導体パターン（footprint）を達成することができることを示している。
【００２８】
今度は図３Ｃ−Ｅを参照して、電気信号接点７４は、この電気信号接点７４が垂直の接点として構成されるように、結合端部７４ａ、およびこの結合端部７４ａと平行に延びる対向するマウンティング端部７４ｂを画定する。マウンティング端部７４ｂは、電気信号接点７４が直角接点として構成されるように、代りに結合端部７４ａに関して直角の方向に延びることができることは、認識されるべきである。結合端部７４ａは、コネクタハウジング３６の結合インターフェース４３に隣接して配置され、一方、マウンティング端部７４ｂは、コネクタハウジング３６のマウンティングインターフェース４５に隣接して配置される。信号接点７２の結合端部７４ａは、レセプタクルコネクタ３４の補完的な電気信号接点と電気的に結合するように構成され、さらに、電力接点７４のマウンティング端部４２ａは、電気ケーブル導電体１０２として提供される電力コンダクタと電気的に結合するように構成される。図２Ａに示されるように、複数の電気信号接点７４の直線的に整列されたマウンティング端部７４ｂに取付けた電気ケーブル導電体１００は、側壁４６および５６を通りぬける長手方向のコネクタハウジング軸ＣＨＡに対して直角に方向付けされる横断方向の第１共通軸ＦＣＡに沿って整列される。
【００２９】
電力接点７４の直線的に整列したマウンティング端部７２ｂに接続された電気ケーブル導体１０２は、コネクタハウジング軸ＣＨＡと平行に、かつ第１共通軸ＦＣＡに直角である横断方向の第２共通軸ＳＣＡに沿って整列される。
【００３０】
電気信号接点７４は、アレイ７９内に形成され、補完的な電気的に伝導性の信号ケーブル１０００に電気的に接続するように構成される。信号接点のアレイ７９は、相互に隣接して長手方向に配置された複数の誘電性の信号接点クリップ１０４を有する。接点クリップ１０４は、それぞれ、垂直柱に沿って配置された、垂直方向に間隔をおかれた複数の信号接点７４を有する。信号接点７４は、対応する接点クリップ１０４内にインサートモールドされるか、そうでなければ所望のようなクリップ内に搭載することができる。４つの信号接点７４が例証された実施例に従ってそれぞれのクリップ１０４内に配置されている間に、クリップ１０４は、それぞれ、所望の方向付けにおける信号接点のあらゆる数も、代りに支持することができることは、認識されるべきである。
【００３１】
信号接点７４は、それぞれ、ケーブル１００にさらに電気的に接続される電気伝導性の信号ケーブルひだスリーブ１０６に電気的に接続される。ひだスリーブ１０６は、信号接点７４、およびそれぞれのケーブル１００を、機械的に接続し、さらにそれぞれのケーブル１００と電気通信に信号接点７４の結合端部をおくように、ケーブル導体上をひだ状にし、フレキシブルアーム１０８を有する。したがって、信号接点７４の結合端部７４ａが補完的なレセプタクルコネクタ３４の信号接点の結合端部と係合するときは、電気信号は、ケーブル１００から、電気信号接点７２およびレセプタクルコネクタ３４の補完的な電気信号接点を通じて、コネクタ３４がマウントされる電子装置に送電される。クリップ１０４は、それぞれ、ハウジング３６の上部および下部壁３８および４０を介して延びる支持開口７８と連結する突出部１０７を備えたフレキシブルアーム１０５を有する。６個のような接点クリップのあらゆる所望数をハウジング３６内に搭載することができ、アレイ７９内に２４個の信号接点７４を集団的に支持する。
【００３２】
今度は図２Ａ−Ｂを参照して、ヘッダコネクタ３２の係合組立体５７は、それぞれ、分極組立体６７、および、分極組立体６３および補完的なレセプタクルコネクタ３４の固定組立体６５とインターフェースするように構成された固定組立体６９を有する。例証された実施例に従って、分極組立体６３は、側壁４６の少なくとも１つ、および例証されるように各側壁４６によって備えられるか、内に形成された下部分極ポケット８０の形をしている第１分極部材８３と、側壁４６の少なくとも１つ、および例証されるように各側壁４６によって備えられるか、内に形成された上部分極ポケット８４の形をしている第２分極部材８５とを有する。下部ポケット８０は、補完的なレセプタクルコネクタ３４の対応する下部分極案内壁５８を受けるために寸法どりされ、形成され、さらに、上部ポケット８４は、補完的なレセプタクルコネクタ３４の対応する上部分極案内壁６０を受けるために寸法どりされ、形成される。
【００３３】
下部ポケット８０は、接点支持空間７０の長手方向の境界を画定し、さらに横断方向の下部ポケット壁８０ａ、長手方向に外部ポケット側壁８０ｂ、および、下部ポケット壁８０ａに平行に延びる横断方向上部ポケット側壁８０ｃを有する。長手方向外部のポケット側壁８０ｂは、下部および上部のポケット壁８０ａおよび８０ｃの間に延びる。例証された実施例に従って、下部ポケット壁８０ａは、ハウジング３６の底壁４０によって画定され、長手方向外部の壁８０ｂは、ハウジング３６の側壁４６によって画定され、さらに、上部壁８０ｃは、ディバイダ壁８２によって画定される。したがって、下部ポケット８０は、形において長方形であり、下部分極案内壁５８の高さとほぼ等しいか、またはよりわずかに大きく寸法どりされた、下部および上部のポケット壁８０ａおよび８０ｃの間の横断方向の距離によって画定される高さを有する。
【００３４】
コネクタハウジング３６の長手方向に対向するポケット８０は、対応する下部分極案内壁５８の長手方向外表面間の距離とほぼ等しいか、またはわずかにより大きな対向する側壁８０ｂの間の長手方向距離を画定する。したがって、下部分極案内壁５８は、下部ポケット８０内に挿入することができる。下部ポケット８０は、接点支持空間７０に開口している内側の長手方向端部８０ｄを画定する。下部ポケット８０が通常長方形として例証されているが、下部ポケット８０は、下部分極案内壁５８を受けるのに適切なあらゆる代りの幾何学的な寸法および形状を画定することができることは、認識されるべきである。
【００３５】
上部ポケット８４は、横断方向下部ポケット壁８４ａ、および下部ポケット壁８４ａに平行に延びる対向する横断方向上部ポケット８４ｃを有する。下部ポケット壁８４ａは、ディバイダ壁８２によって画定され，さらに、上部ポケット壁８４ｃは、ハウジング３６の上部壁３８によって画定される。ポケット８４は、下部および上部壁８４ａおよび８４ｃの間に延びる開口している長手方向外方端部８４ｂ、および、下部および上部壁８４ａおよび８４ｃの間に延びる開口している長手方向内方端部８４ｄを有する。
【００３６】
長手方向内側の端部８４ｄは、接点支持空間７０に対して開いており、さらに、長手方向外方の端部８４ｂは、固定組立体６９に対して開いている。
【００３７】
上部ポケット壁８４ｃは、垂直方向の厚さ、または、高さ、すなわち、ハウジングの上部壁３８より大きいものを有し、さらに、特に上部壁３８に関して横断方向に下に延びる。上部のポケット壁８４ｃは、上部のポケット壁８４ｃが、分極組立体６３および６７が係合するときにノッチ６１内に受けられるように構成されるように、ノッチ６１の高さにほぼ等しいか、またはわずかに小さい高さを有する。さらに、上部ポケット８４は、上部分極案内壁６０は、分極組立体６３および６７が係合するときに、上部ポケット８４内に挿入することができるように、部分極案内壁６０の高さにほぼ等しいか、わずかにより大きく寸法どりされる下部および上部ポケット壁８４ａおよび８４ｃの間の横断方向の距離によって画定される高さを有する。上部ポケット８４は、上部分極案内壁６０を受けるのに適切なあらゆる幾何学寸法および形状を画定することができるということが、認識されるべきである。
【００３８】
ディバイダ壁８２は、このように、下部ポケット８０の上部端部および上部ポケット８４の両方を画定する。ポケット８０および８４は、ディバイダ壁８２が、垂直方向に側壁４６の垂直方向の中間点に関してオフセットされるように、垂直方向に非対称的に位置される。すなわち、ポケット８０および８４は、それぞれ、ハウジング３６または側壁４６の垂直方向の中間点に関してオフセットされる。例証された実施例に従って、ポケット８０および８４は、異なる形状に形づくられ、上部ポケット８４よりも大きい高さを有する下部ポケット８０を具備して、特に、異なる高さ有する。ディバイダ壁８２は、分極案内壁５８と６０との間に配置された補完的なギャップ６２よりわずかに小さく寸法どりされ、さらに分極組立体６３および６７が係合するときに、補完的なギャップ６２内に受けられるように垂直方向に位置される。所望するようなあらゆる方向に関して、代りに非対称的に分極組立体６７を構築することができることは認識されるべきである。
【００３９】
したがって、分極組立体６３および６７が、それぞれ電気コネクタ３２および３４がそれぞれ他のコネクタに関するその所望の方向付けにおいてあるときにのみ結合するように構成された、少なくとも１つの非対称的に位置した分極部材を有することは、認識されるべきである。分極組立体６３の少なくとも１つの非対称的に位置した分極部材は、一方または両方の分極案内壁５８および６０によって提供される壁、またはギャップ６２によって提供される凹部であることができる。分極組立体６７の少なくとも１つの非対称的に位置した分極部材は、１つまたは両方のディバイダ壁８２および上部ポケット８４の上部壁８４によって提供される壁、または、１つまたは両方のポケット８０および８４によって提供される凹部であることができる。他の方法で述べれば、側壁４６および５６は、電気コネクタ３２および３４が、それぞれ他のコネクタに関する所望の方向付けにあるときにのみ、係合するように構成された少なくとも１つの分極部材を備える。コネクタ３２または３４のうちの１つが、上下逆さまに位置するならば、分極組立体６３および６７の少なくとも１つの分極部材は、相互と干渉し、それによって、補完的なコネクタ３２および３４の電気接点が結合することを防止する。
【００４０】
今度は図２Ａ−Ｃを参照して、固定組立体６９は、それぞれ、レセプタクルコネクタ３４のコネクタハウジングの固定部材８９と解放可能に係合するように構成された固定部材９１を有する。例証された実施例に従って、固定部材９１は、コネクタハウジング３６上にマウントされたラッチ９０の形で例証される。特に、コネクタハウジング３６は、横断方向の下部ブラケット壁９８ａ、長手方向外方のブラケット壁９８ｂ、および下部ブラケット壁８４ａに平行に延びる上部横方向の９８ブラケット壁９８ｃを有する。
【００４１】
ポケット壁８４ａ−ｃの前方端部は、ハウジング３６の前方端部４２に関して横方向後方に引っ込められる。
【００４２】
例証された実施例に従って、上部ブラケット壁９８ｃは、ハウジング３６の上部表面３８によって画定され、さらに、下側ブラケット壁９８ａは、垂直方向にディバイダ壁８２と整列される。長手方向外方の端部９８ｂは、また、下部ポケット８０の横方向外方の壁８０ｂに関して横方向外方の位置で下部および上部のブラケット壁９８ａおよび９８ｃの間で延びる。ブラケット９８は、下部および上部のブラケット壁９８ａの間に垂直方向に延びる長手方向内側端部９８ｄおよび９８ｃを有する。長手方向内側端部９８ｄは、接点支持空間７０に開口している。
【００４３】
ラッチ９０は、ラッチ体９２、このラッチ体９２の後部端部に配置されたハンドル９４、およびラッチ体９２の前方端部に配置された係合指９６を有する。ハンドル９４は、長手方向に外方に面して輪になったグリップ９５、および、対向する長手方向内側に面する面１０１を有する。係合指９６は、後方方向に沿って長手方向内方に延び、さらに、カム面の内側端部とラッチ体９２との間に長手方向に延びる後部キャッチ面９９でその後方端部で終端するカム面９７を有する。カム面９７は、曲げられるように例証されるが、ラッチ９０が、補完的なレセプタクルコネクタ３４の対応するラッチ耳部６４と係合するように構成されるように、代りに直線になるか、または所望のようなあらゆる他の形状も画定することができる。
【００４４】
コネクタ３２は、ラッチ体９２を介して、さらに、下部および上部のブラケット壁９８ａ内に延びる垂直方向のピン９３を有する。ラッチ９０は、このように、ピン９３の周りに軸支して、ヘッダコネクタハウジング３６にマウントされる。ハンドル９４の内部表面１０１は、圧縮可能である。この点については、ラッチ９０は、あらゆる適切な、好ましくは誘電性材料から作ることができる。例証される実施例に従って、ラッチ９０は、内部表面１０１とグリップ９５との間の位置でハンドル９４を通って垂直方向に延びる圧縮開口１０３を画定する。したがって、長手方向内部に指向された力が、グリップ９５に加えられるとき（例えば、ユーザーがグリップ９５に対して押し付けるとき）に、内部表面１０１は、それによってハンドル９４を長手方向内方に偏倚する偏倚ばね力を提供して、対応する側壁４６であってハンドル９４および圧縮開口１０３を圧縮するものに対してもたらされる。
【００４５】
ラッチ９０は、第１の、または、それによって内部表面１０１が側壁４６に当接するが、側壁４６に対して圧縮されない初期位置において動作可能である。この初期位置では、カム面９７は、補完的なラッチ耳部６４のカム面６６と整列された位置における上部ポケット８４内に突出する。ラッチ９０は、第２の、またはラッチする位置において動作可能であり、それによって、カム面６６は、カム面９７に沿って乗り、かつカム面を長手方向外方に偏倚し、それは内部表面１０１を側壁４６に対して圧縮させる。
【００４６】
したがって、ラッチ６４および９０の継続的係合は、内部表面１０１の圧縮に起因するラッチハンドル９４のばね力に対抗する。この点については、ハンドル９４が、ばね部材を提供することは認識されるべきである。
【００４７】
ラッチは、それによって後部キャッチ表面９９および６８が、相互に超えて摺動し、第３の、または掛けがねをかけた位置において動作可能であり、さらに、ラッチ９０が、第４の、またはラッチされない位置内に移動されなければ、コネクタ３２および３４が分離することはできないように、ハンドルのばね力が、後部キャッチ表面６８と干渉して長手方向内方に後部キャッチ表面９９を偏倚する。特に、長手方向内方指向された力は、内部表面１０１を側壁４６に対して圧縮させるハンドル９４（例えば、ユーザーがグリップに押圧する場合）に加えられる。充分な内部力が、ハンドルに加えられるときは、後部キャッチ表面９９は、補完的な後部キャッチ表面６６との整列から長手方向外方に移動され、さらに、コネクタ３２および３４は、結合することができない。したがって、ラッチ９０と６４との間の係合は、コネクタ３２および３４が使用の間に不注意に分離されることを防止する。
【００４８】
認識されるべきであることは、内部表面１０１が上に記述された方法で側壁４６に対して圧縮することを可能にするように、代りに圧縮開口１０３なしで充分に圧縮可能である材料からハンドル９４を作ることができることである。なお、代りに、ばね部材は、ラッチ９０によって、例えば圧縮開口１０３の内部で、または、ピン９４によって、内部表面１０１を長手方向外方に、そしてしたがって、係合指９４を長手方向内側に偏倚する。この点については、認識されるべきことは、コネクタ３６、および、特には、ラッチ９０は、係合指６４に対する力を加える、補完的なラッチ耳部６４と係合に指９４を偏倚する偏倚部材９４を有するということである。  
さらに認識されるべきことは、固定部材８９および９１、または、ラッチ６４および９０が、それぞれの側壁５６および４６の垂直方向の中間点から垂直方向にオフセットされた位置に、配置されることである。したがって、コネクタハウジング３６および３７が、補完的な電力接点および補完的な信号接点と結合するためにそれらの適切な方向付けにあるとき、ラッチ６４および９０は、単に係合するだけである。この点について、認識されるべきことは、ラッチ６４および９０が、コネクタハウジング３４および３７が適切に方向付けされるときに、コネクタ３２および３４が、使用の間に不用意に分離されることを防止する分極部材を提供することである。
【００４９】
動作中に、コネクタ３２は、下部ポケット８０が下部分極案内壁５８を受け、さらに上部ポケット８４は、上部ガイド壁６０を受けるコネクタ３４と結合することができる。
【００５０】
ディバイダ壁８２は、ギャップ６２によって受けられ、さらにそのエリア上部ポケット８４ｃは、ノッチ６１内に受けられる。さらに、カム面９７は、キャッチ表面９９が、ラッチ耳部６４の後部キャッチ表面６８にしっかり嵌る（snap）まで、ラッチ耳部６４のカム面６６にカム作用（cam）する。コネクタ３２および３４を分離することが望ましいときは、ユーザーは、側壁４６に対するハンドル９４の圧縮によって生み出されたばね力に対するグリップ９５に内方に指向された力を加えることができる。ユーザー印加力は、ラッチ９０をピン９３の周りに回転させ、それは、それによって関連するラッチ耳部６４との干渉から係合指９６をとり除く。コネクタ３２および３４は、その後、分離することができる。
【００５１】
したがって、認識されるべきことは、固定組立体６５および６９が、それぞれ、それらの結合された配位におけるコネクタ３２および３４を  解放可能にロックするように、係合するように構成された少なくとも１つの固定部材を有することである。１つの実施例に従って、電気コネクタ３２および３４が他のコネクタに関するこれらの所望の方向付けにあるときに、固定組立体６５および６９は、単に係合するだけである。少なくとも１つの固定部材は、１方、または両方のラッチ６４および９０の形であることができる。
【００５２】
認識されるべきことは、コネクタ３２および３４が、ヘッダコネクタおよびレセプタクルコネクタであることとして例証されているが、それぞれ、コネクタハウジング３６および３７が、代りにそれぞれレセプタクルとヘッダの接点を支持することができることである。さらに、コネクタ３２および３４が、垂直方向のコネクタとして例証されているが、コネクタ３２および３４の一方、または両方が、代りに、直角のコネクタとして、構築することができることである。
【００５３】
ヘッダコネクタ３２は、実施例に従って記述されてきたが、その係合組立体５７が、上に記述されたようなコネクタ３２のそれとは異なることができる結合コネクタに、コネクタ３２に近似しているコネクタをマウントすることが望ましいということができることは認識される。さらに、パネル上にマウントするのに特に適応されるコネクタ３２に近似しているコネクタを提供することは望ましいということができる。図４Ｂ−４Ｄは、電気ヘッダコネクタ１３２、２３２および３３２を例証し、これらは、電力接点７２、および電気コネクタ３２に関して上に記述されたように構築された信号接点７４を有する。コネクタ１３２、２３２、および３３２は、それぞれ、接点７２および７４を収容する内部空間を画定するそれぞれのコネクタハウジングを有し、さらに、電気コネクタ３２に関して上に記述されたように構築される。実際、電気コネクタ１３２、２３２、および３３２は、係合組立体を例外として、例証されるような代りの実施例に従って構成することができる電気コネクタ３２に関して同一に構築することができる。
【００５４】
例えば、今度は図４Ｂ、５Ｂおよび６を参照して、１つの代りの実施例は、電気コネクタ１３２が側壁１４６のうちの１つによって備えられるか、または、例証されるようにそれぞれの側壁１４６によって備えられた少なくとも１つの係合組立体１５７を有するということを認識し、係合組立体１５７は、それぞれ、固定組立体１６９を有するが、個別の分極組立体を欠く（固定組立体１６９が上に記述された方法で分極部材を提供することができるということは認識されるけれども）。固定組立体１６９は、上に記述された方法においてブラケット９８によって備えられたラッチ９０の形で、固定部材を有する。ブラケット９８は、側壁１４６から長手方向外方に、順番に、突出するマウンティングブロック１４５から長手方向外方に延びる。マウンティングブロック１４５の前方端部は、側壁１４６およびマウンティングブロック１４５の前方端部によって画定されたノッチ１４７の形式においてポケットを画定するように、コネクタハウジング１３６の前方端部に関して隠される（recess）。
【００５５】
ノッチ１４７は、コネクタ３２および３４が結合するときに、上部および下部分極案内壁５８および６０が、ノッチ１４７内に受けることができるそのような充分な距離、横方向後方に隠される。ノッチ１４７がコネクタハウジング１３６の充分な高さを延ばすので、上部および下部の分極案内壁５８および６０は、コネクタ１３２に関するコネクタ３４の方向性にかかわらずノッチ１４７内に受けることができる。したがって、ノッチ１４７は、上に記述された方法で分極部材を提供しない。ラッチ９０は、ラッチ耳部６４がノッチ１４７内に受けられるときに、コネクタ１３２および３４が上に記述した方法で結合されるようなときに、補完的なラッチ耳部６４と係合するようにノッチ１４７内に前方に延びる。  図４Ｃ、５Ｃおよび７を参照して、電気ヘッダコネクタ２３２は、コネクタハウジング２３６を有する。コネクタハウジング２３６は、対向側面２４６間のコネクタハウジング軸ＣＨＡに沿って延び、またさらに対向側面間に延びる頂壁を有する、頂壁と対向側面の間の接点支持空間７０を画定するように、対向側面２４６のうちの１つはラッチ係合部材のような固定組立体２６９を画定して、コネクタハウジング２３６の頂壁および対向側面２４６の他方から一定間隔で配置された分極部材を画定する、下部ポケット２８０のように、それは、ラッチ係合部材よりも頂壁からさらに間隔をおかれる。他の方法を述べると、コネクタハウジング２３６は、さらに、分極組立体２６７、および代りの実施例に従って構築された固定組立体２６９を有する少なくとも１つの係合組立体２５７をさらに有する。特に、分極組立体２６７は、側壁２４６によって備えられ、所望の方向付けのコネクタ２３２と結合するように構成された電気コネクタの補完的な分極部材を受けるように構成された、下部ポケット２８０の形における分極部材を有する。固定組立体２６９は、ポケット２８０の上の位置で側壁２４６と統合して（または、機械的に接続して）形成されるラッチ２９０として提供される固定部材を有する。ラッチ２９０は、ディバイダ壁２８２によってより下部ポケット２８０から分離される。ラッチ２９０は、後方方向に沿って長手方向外方に突出する角度を有するカム面２９７を有する。ラッチ２９０は、カム面２９７の後部端部と側壁２４６との間に長手方向に突出する後部キャッチ表面２９９を有する。このように、ラッチ２９０は、上に記述された方法において補完的な電気コネクタの固定部材と係合するように構成される。ヘッダコネクタ２３２は、電気コネクタ３２の長さ未満である長手方向長さを有して構築される。高さＨ２は、ほぼ１５ｍｍで、上に記述されるように、深さＤ２がほぼ３０ｍｍであるが、長さＬ２は、例証される実施例に従ってほぼ８９ｍｍである。
【００５６】
今度は図３Ｆ、４Ｄ、５Ｄおよび８Ａ−Ｅを参照して、他の代りの実施例に従って構築された電気ヘッダコネクタ３３２は、パネル３６３上にマウントするように構成され、それは垂直方向に方向付けすることができる。電気コネクタ３３２は、分極組立体３６７および固定組立体３６９を有する少なくとも１つの係合組立体３５７を有する。特に、コネクタハウジング３３６は、各側壁３４６から長手方向に延びるサポート壁３６５を有する。ハウジング３３６は、各サポート壁３６５に、またはそのサポート壁を通って横方向に延びる外部の一般に円筒状の開口３７９を、さらに外部の開口３７９に関して長手方向内方の位置でハウジング３４６内に、またはそれを通って横方向に延びる内部開口３７７を画定する。内部開口３７７は、外部開口３７９未満の寸法どりであり、わずかに外部開口３７９上に集中される。
【００５７】
内部開口３７７は、形において円筒状であることができ、または、一般に丸であるが短い完全なシリンダであることができ、または、所望のようあらゆる代りの適切な形状を画定することができる。例えば、内部開口３７７は、その長手方向内方端部で、接点支持空間７０に開口していることができる。
【００５８】
電気コネクタ３３２は、このように、あらゆる適切な機械的なファスナーを使用して、結合コネクタおよび板状壁３６３に取付けるように構成される。ハウジング３３６の前方端部は、パネルが、サポート壁３６５の前方端部と当接するまで、パネル３６３を通って延びる開口内に挿入することができる。分極組立体３６７は、サポート壁３６５によって備えられ、さらに、上に記述されたようにコネクタ３３２が、所望の方向付けにおける補完的なコネクタと結合することを保証するように所望のように構成され、かつ配置された、１つまたはそれ以上のポケット、突出構造、または同種のものを有することができる。この点に関しては、開口３７７および３６９の垂直方向のオフセットが、所望の方向付けを保証することができることは認識されるべきである。信号接点７２および電力接点７４を支持するハウジング３３６の内部空間７０は、ディバイダ壁３７１によって分離されて、信号接点空間７０Ａおよび電力接点空間に分割することができる。
【００５９】
認識されるべきであるのは、壁３６５および関連する開口３７９がコネクタパネル３６３に対してコネクタ３３２をマウントするように構成されたあらゆる適切な機械的なファスナ（図示せず）も受けるのに適切である任意の所望形状を仮定することができることである。
【００６０】
コネクタ３３２は、上に記述された方法およびほぼ１２７ｍｍの長手方向長さＬでほぼ１５ｍｍの高さＨ３、および、ほぼ３０ｍｍの深さＤ３を画定することができる。
【００６１】
先の記述は、説明の目的で提供されたもので、限定ではない。この発明は、好ましい実施例、または好ましい方法に関して記述されてきたが、ここに使用されてきた言葉は、限定の言葉でなく、記述の言葉であり、例示の言葉であることが、理解される。さらに、上に記述されたような各実施例の様々な構造および特徴は、もし他の方法で注意されなかったならば、上に記述されたあらゆる他の実施例にも組み入れることができる。この発明は、特別の構造、方法、特徴、および実施例に関してここに記述されたが、この発明は、ここに詳細に限定されるようには意図されず、この発明は、付加された請求項の範囲内であるように、あらゆる構造、方法、および用途まで及ぶ。この開示の教示の利益を有する適切な技術に熟練している者は、ここに記述されるような発明に対する多数の修正を達成することができ、また、変更は、例えば付加された請求項によって画定されるように、この発明の範囲および精神を逸脱しないで、なすことができる。
【図１】
2012516548.tif 000003
【図２Ａ】
2012516548.tif 000004
【図２Ｂ】
2012516548.tif 000005
【図２Ｃ】
2012516548.tif 000006
【図３Ａ】
2012516548.tif 000007
【図３Ｂ】
2012516548.tif 000008
【図３Ｃ】
2012516548.tif 000009
【図３Ｄ】
2012516548.tif 000010
【図３Ｅ】
2012516548.tif 000011
【図３Ｆ】
2012516548.tif 000012
【図４Ａ】
2012516548.tif 000013
【図４Ｂ】
2012516548.tif 000014
【図４Ｃ】
2012516548.tif 000015
【図４Ｄ】
2012516548.tif 000016
【図５Ａ】
2012516548.tif 000017
【図５Ｂ】
2012516548.tif 000018
【図５Ｃ】
2012516548.tif 000019
【図５Ｄ】
2012516548.tif 000020
【図６】
2012516548.tif 000021
【図７】
2012516548.tif 000022
【図８Ａ】
2012516548.tif 000023
【図８Ｂ】
2012516548.tif 000024
【図８Ｃ】
2012516548.tif 000025
【図８Ｄ】
2012516548.tif 000026
【図８Ｅ】
2012516548.tif 000027
【国際調査報告】
2012516548.tif 000028
2012516548.tif 000029